(57)【要約】【課題】視覚／聴覚障害者同士又はこれら障害者と健常者間の円滑なコミュニケーションを可能にする携帯電話機およびそれを使用するコミュニケーション方法を提供する。【解決手段】送信者は、自己の携帯電話機１００を使用して手話等の映像、キーボード操作等の文字又はマイクからの音声を入力して、映像情報および音声情報をそのまま、映像情報を手話認識装置４０で「手話→文字」変換又は音声情報を「音声→文字」変換した文字情報、文字情報を文字変換装置５０で「文字→音声」変換した音声情報を、電波網を介して相手（受信者）の携帯電話機１００に送信する。受信者は、自己の携帯電話機１００を操作して、映像情報、文字情報又は音声情報を選択して表示出力部８０又は音声出力部９０に出力してコミュニケーションを行う。【選択図】      図１
2004248022.tif 000002
【特許請求の範囲】
【請求項１】
視覚／聴覚障害者同士又は障害者および健常者間でコミュニケーションを可能にする携帯電話機において、
カメラ撮像画像に基づき手話認識して手話情報を文字情報に変換する手話認識装置と、文字情報を音声情報に変換する文字変換装置と、音声情報を文字情報に変換する音声変換装置とを備えることを特徴とする携帯電話機。
【請求項２】
少なくとも前記手話認識装置、前記文字変換装置又は前記音声変換装置は、情報データベースおよび学習部を備え、変換部の使用頻度に応じて最適変換を行うことを特徴とする請求項１に記載の携帯電話機。
【請求項３】
前記手話情報又は前記文字情報を視覚的に表示出力する表示出力部および前記音声情報を音声で出力する音声出力部を備えることを特徴とする請求項１又は２に記載の携帯電話機。
【請求項４】
送信者および／又は受信者は、前記手話認識装置、前記文字変換装置又は前記音声変換装置を適宜ＯＮ／ＯＦＦ選択可能であることを特徴とする請求項１、２又は３に記載の携帯電話機。
【請求項５】
視覚又は聴覚障害者および健常者が携帯電話機を使用して相互にコミュニケーションを可能にする携帯電話機を使用するコミュニケーション方法において、
送信者により手話等の映像、文字又は音声を入力することと、前記入力された映像情報、文字情報又は音声情報を受信者が選択して、それぞれ文字情報、音声情報および文字情報に変換することとよりなることを特徴とする携帯電話機を使用するコミュニケーション方法。
【請求項６】
前記変換された文字情報又は音声情報を、電波網を介して受信者の携帯電話機に送信することを特徴とする請求項５に記載の携帯電話機を使用するコミュニケーション方法。
【請求項７】
前記発信者が入力した前記文字情報を前記音声情報に変換して自己の音声出力部に出力し、前記音声情報を前記文字情報に変換して自己の表示出力部に出力することを特徴とする請求項５に記載の携帯電話機を使用するコミュニケーション方法。
【請求項８】
前記発信者は、自己の入力した前記映像情報、前記文字情報又は前記音声情報を、それぞれ文字情報、音声情報又は文字情報に変換して、表示出力部又は音声出力部に出力して、近くにいる相手とローカルモードでコミュニケーションすることを特徴とする請求項５に記載の携帯電話機を使用するコミュニケーション方法。
【発明の詳細な説明】
【０００１】
【発明の属する技術分野】
本発明は携帯電話機に関し、特に視覚障害者、聴覚障害者および健常者間でコミュニケーションを可能にする携帯電話機およびそれを使用するコミュニケーション方法に関する。
【０００２】
【従来の技術】
携帯電話は、ユーザが通信圏内にいる限り、何時でも又は何処でも必要時に希望する相手との通話、電子メールの送受信および情報検索等の各種機能を備えているので、広く普及し且つ活用されている。今や、現代生活には必須の無線通信機器の１つであるといっても過言ではない。
【０００３】
このように、健常者（即ち、正常な視覚および聴覚を有する者）にとっては、音声および／又は文字に上述した携帯電話機の各機能を簡単に活用可能である。しかし、視覚や聴覚に障害を有する者（以下、障害者という）は、携帯電話機の各機能を十分に活用することが困難又は不可能である。換言すると、障害者は、携帯電話機の全ての機能を健常者の如く容易に活用できず、その一部分のみしか活用し得ない。
【０００４】
斯かる課題を解決するために、従来種々の改善工夫が試みられている。例えば、手話動作を音声に変換し又は音声言語で入力された情報を手話動作に変換して、入力情報に含まれる言語情報および非言語情報をメールで送受信する手話メール装置が開示されている（例えば、特許文献１参照。）。また、話者による言語情報および非言語情報を、同時にユーザに提示することにより、話者とユーザとのコミュニケーションの補助を行う音声表示システムおよび音声表示プログラムも開示されている（例えば、特許文献２参照。）。更に、視覚障害者と聴覚障害者との間のコミュニケーションを図るために、メディア変換手段により入力メディアを他の形態の出力メディアに変換するバリアフリー分散仮想現実システムも開示されている（例えば、特許文献３参照。）。
【０００５】
【発明が解決しようとする課題】
健常者と障害者との間でのコミュニケーションは、相互に特別な訓練を受け、その技術を習得したもの同士でない限り、円滑なコミュニケーションを行うことが困難である。また、上述した従来技術により、例えば限定された障害者および健常者間のコミュニケーションは可能であるが、一般的な障害者および健常者間の円滑なコミュニケーションは困難又は不可能であるという課題があった。
【０００６】
【発明の目的】
本発明は、従来技術の上述した課題に鑑みなされたものであり、意思伝達手段を適宜選択して一般的な障害者相互間および障害者と健常者間で円滑なコミュニケーション（意思疎通）を図ることを可能にする携帯電話機およびそれを使用するコミュニケーション方法を提供することを目的とする。
【０００７】
【特許文献１】
特開２０００−２１４７６４号公報（第３−４頁、第１図）
【特許文献２】
特開２００２−２４４８４１号公報（第３−４頁、第１図）
【特許文献３】
特開平１１−３３６９号公報（第５頁、第１図）
【０００８】
【課題を解決するための手段】
前述の課題を解決するため本発明の携帯電話機およびそれを使用するコミュニケーション方法は次のような特徴的な構成を採用している。
【０００９】
（１）視覚／聴覚障害者同士又は障害者および健常者間でコミュニケーションを可能にする携帯電話機において、
カメラ撮像画像に基づき手話認識して手話情報を文字情報に変換する手話認識装置と、文字情報を音声情報に変換する文字変換装置と、音声情報を文字情報に変換する音声変換装置とを備える携帯電話機。
【００１０】
（２）少なくとも前記手話認識装置、前記文字変換装置又は前記音声変換装置は、情報データベースおよび学習部を備え、変換部の使用頻度に応じて最適変換を行う上記（１）の携帯電話機。
【００１１】
（３）前記手話情報又は前記文字情報を視覚的に表示出力する表示出力部および前記音声情報を音声で出力する音声出力部を備える上記（１）又は（２）の携帯電話機。
【００１２】
（４）送信者および／又は受信者は、前記手話認識装置、前記文字変換装置又は前記音声変換装置を適宜ＯＮ／ＯＦＦ選択可能である上記（１）、（２）又は（３）の携帯電話機。
【００１３】
（５）視覚又は聴覚障害者および健常者が携帯電話機を使用して相互にコミュニケーションを可能にする携帯電話機を使用するコミュニケーション方法において、
送信者により手話等の映像、文字又は音声を入力することと、前記入力された映像情報、文字情報又は音声情報を受信者が選択して、それぞれ文字情報、音声情報および文字情報に変換することとよりなる携帯電話機を使用するコミュニケーション方法。
【００１４】
（６）前記変換された文字情報又は音声情報を、電波網を介して受信者の携帯電話機に送信する上記（５）の携帯電話機を使用するコミュニケーション方法。
【００１５】
（７）前記発信者が入力した前記文字情報を前記音声情報に変換して自己の音声出力部に出力し、前記音声情報を前記文字情報に変換して自己の表示出力部に出力する上記（５）の携帯電話機を使用するコミュニケーション方法。
【００１６】
（８）前記発信者は、自己の入力した前記映像情報、前記文字情報又は前記音声情報を、それぞれ文字情報、音声情報又は文字情報に変換して、表示出力部又は音声出力部に出力して、近くにいる相手とローカルモードでコミュニケーションする上記（５）の携帯電話機を使用するコミュニケーション方法。
【００１７】
【発明の実施の形態】
以下、本発明による携帯電話機の好適実施形態の構成および動作を、添付図面を参照して詳細に説明する。
【００１８】
先ず、図１は、本発明による携帯電話機の好適実施形態の発信モードの構成を示すブロック図である。この携帯電話機１００は、映像入力部１０、文字入力部２０、音声入力部３０、手話認識装置（「手話→文字」変換手段）４０、文字変換装置（「文字→音声」変換手段）５０、音声変換装置（「音声→文字」変換手段）６０および通信処理部７０を含んでいる。手話認識装置４０は、手話認識部４１、手話情報データベース４２および学習部４３を含んでいる。また、文字変換装置５０および音声変換装置６０は、それぞれ変換部５１、６１、情報データベース５２、６２および学習部５３、６３を含んでいる。
【００１９】
映像入力部１０は、手話認識装置４０および通信処理部７０に接続されている。文字入力部２０は、文字変換装置（「文字→音声」変換）５０および通信処理装置７０に接続されている。また、音声入力部３０は、音声変換装置（「音声→文字」変換）６０および通信処理部７０に接続されている。そして、手話認識装置４０、文字変換装置５０および音声変換装置６０は、何れも通信処理装置７０に接続されている。従って、通信処理部７０は、映像情報、文字情報および音声情報を処理して電波網を介して相手の携帯電話機１００へ送信可能である。
【００２０】
発信者（又は発話者）は、任意に選択して手話映像、キー等からの文字入力および／又は発話による音声を、それぞれ映像入力部１０、文字入力部２０および音声入力部３０により入力する。そして、通信処理部７０から、映像情報、文字情報および音声情報を通信データとして送信する。
【００２１】
次に、図２は、携帯電話機１００の受信モードにおける構成を示すブロック図である。上述した通信データ（映像、文字および音声）が入力される通信処理部７０、手話認識装置４０、文字変換装置５０、音声変換装置６０、ＬＣＤ（液晶表示パネル）又はＥＬ（エレクトロルミネッセンス表示パネル）等の表示出力部８０およびスピーカ等の音声出力部９０を有する。
【００２２】
また、本発明の携帯電話機１００は、単に無線通信により相互に離れた位置にいる者同士のコミュニケーション手段（リモートモード）としてのみならず、ローカルモードで、即ち障害者同士又は障害者と健常者が同じ場所で、例えば隣に並んでコミュニケーションする場合にも適用可能である。図３は、携帯電話機１００を、この携帯電話機１００を使用するローカルモードにおけるコミュニケーション動作する場合の構成を示すブロック図である。このローカルモードにおいて、携帯電話機１００は、映像入力部１０、文字入力部２０、音声入力部３０、手話認識装置４０、文字変換装置５０、音声変換装置６０、表示出力部８０および音声出力部９０を有する又は使用する。
【００２３】
次に、携帯電話機１００を構成する各部の主要機能を説明する。先ず、映像入力部１０は、ＣＣＤカメラ（又はビデオカメラ）等の映像入力装置を備え、発信者からの手話映像を受ける。文字入力部２０は、発信者のキー等の操作により入力される文字情報を受ける。音声入力部３０は、発信者が発話する音声情報を受けて、マイク等により電気信号に変換する。
【００２４】
手話認識装置４０は、映像入力部１０又は通信処理部７０からの画像を、手話認識部４１から手話情報データベース４２へ問い合わせを行う。そして、この手話情報データベース４２に格納されているものの中から最も適している文字情報に変換する、即ち「手話→文字」変換する。尚、学習部４３は、「手話→文字」変換の使用頻度等により、最適な文字情報に迅速に変換可能にする。
【００２５】
文字変換装置５０は、文字入力部２０又は通信処理部７０からの文字情報を、文字変換部５１から情報データベース５２へ問い合わせする。そして、情報データベース５２に格納されたものの中から最も適した音声情報に変換する、即ち「文字→音声」変換する。学習部５３は、変換の使用頻度等により、最適な音声情報への変換を迅速に行う。
【００２６】
音声変換装置６０は、音声入力部又は通信処理部７０からの音声情報を、音声変換部６１から情報データベース６２へ問い合わせる。そして、この情報データベース６２の中から最も適した文字情報に変換する、即ち「音声→文字」変換する。学習部６３は、変換の使用頻度等により、最適な文字情報への迅速な変換を行う。
【００２７】
通信処理部７０は、自己の携帯電話機と遠隔地の相手の携帯電話機との間で、電波網（無線通信網）により映像、文字および／又は音声情報をリアルタイムに通信（送受信）する。表示出力部８０は、ＬＣＤ又はＥＬ表示パネル等の表示出力装置であり、映像又は文字情報を健常者又は聴覚障害者のために可視的に表示する。音声出力部９０は、スピーカ等の音声出力装置から構成され、健常者又は視覚障害者のために聴覚的に情報を出力する。
【００２８】
次に、本発明による携帯電話機１００の動作を説明する。先ず、図４のフローチャートを参照して、図１に示す携帯電話機１００の発信モードにおける映像入力時の動作を説明する。発信者が、手話等の表現をする（ステップＡ１）。次に、ＣＣＤカメラ等の映像入力部１０のＯＮ／ＯＦＦ状態を判定する（ステップＡ２）。映像入力部１０がＯＦＦの場合には、処理を終了する（ステップＡ３）。一方、映像入力部１０がＯＮの場合には、入力される映像情報に基づき後述するステップＡ４の処理を行うと共に、手話認識装置４０により「手話→文字」変換を行うか否か判定する（ステップＡ５）。
【００２９】
手話認識装置４０の「手話→文字」変換を行わない場合（ステップＡ５：ＮＯ）には、処理を終了する（ステップＡ６）。一方、「手話→文字」変換を行う場合（ステップＡ５：ＹＥＳ）には、映像情報を手話認識装置４０に入力し、「手話→文字」変換する（ステップＡ７）。この手話認識装置４０が出力する文字情報は、後述するステップＡ４で処理されると共に、「文字→音声」変換するか否か判定される。「文字→音声」変換する場合（ステップＡ８：ＹＥＳ）には、文字変換装置５０に入力されて「文字→音声」変換され（ステップＡ９）、音声情報を出力して後述するステップＡ４の処理を実行する。一方、「文字→音声」変換しない場合（ステップＡ８：ＮＯ）には、処理を終了する（ステップＡ１０）。
【００３０】
ここで、上述したステップＡ４の処理について説明する。通信処理部７０は、電波網により映像情報、文字情報又は音声情報から選択した１以上の任意の情報を相手の携帯電話機１００へ送信する。また、上述したローカルモードの場合には、表示出力部８０に映像情報又は文字情報を選択して表示する。相手が聴覚障害者でない場合には、音声出力部９０から音声情報を出力する。
【００３１】
従って、送信者が、たとえ視覚障害者であって、手話等による映像入力をすると、リモートモードで通信処理部７０から電波網を介して相手の携帯電話機１００に映像情報、文字情報又は音声情報の少なくとも１つを送信可能である。また、ローカルモードのために、自己の携帯電話機１００の表示出力部８０に映像情報又は文字情報を表示出力又は音声出力部９０に音声情報を出力することが可能である。
【００３２】
次に、図５のフローチャートを参照して、携帯電話機１００の発信モードで文字入力時の動作を説明する。発信者が文字入力を行う（ステップＢ１）。次に、文字入力部２０のＯＮ／ＯＦＦ状態を判定する（ステップＢ２）。文字入力部２０がＯＦＦの場合（ステップＢ２：ＯＦＦ）には、処理を終了する（ステップＢ３）。一方、文字入力部２０がＯＮの場合（ステップＢ２：ＯＮ）には、入力された文字情報を後述するステップＢ４で処理すると共に、文字変換装置５０により「文字→音声」変換を行うか否か判定する（ステップＢ５）。「文字→音声」変換をしない場合（ステップＢ５：ＮＯ）には、処理を終了する（ステップＢ６）。一方、「文字→音声」変換する場合（ステップＢ５：ＹＥＳ）には、文字変換装置５０により「文字→音声」変換する（ステップＢ７）。そして、出力される音声情報に対してステップＢ４の処理を行う。
【００３３】
ここで、ステップＢ４において、通信処理部７０は、文字情報又は音声情報を選択してローカルモードの場合には、通信処理部７０および電波網を介して相手の携帯電話機１００に送信する。また、ローカルモードの場合には、表示出力部８０に文字情報を表示出力又は音声出力部９０に音声情報を出力する。これにより、送信者により入力された文字情報を、リモートモード又はローカルモードにより相手とコミュニケーション可能である。即ち、相手が視覚障害者であれば音声情報を選択し、聴覚障害者であれば文字情報を選択することが可能である。
【００３４】
次に、本発明による携帯電話機１００の音声情報入力時の送信モードにおける動作を、図６のフローチャートを参照して説明する。送信者（発話者）が音声入力する（ステップＣ１）。音声入力部３０のＯＮ／ＯＦＦ状態を判定する（ステップＣ２）。音声入力部３０がＯＦＦの場合（ステップＣ２：ＯＦＦ）には、処理を終了する（ステップＣ３）。一方、音声入力部３０がＯＮの場合（ステップＣ２：ＯＮ）には、音声入力部３０からの音声情報は、後述するステップＣ４で処理されると共に、「音声→文字」変換するか否か判定する（ステップＣ５）。「音声→文字」変換しない場合（ステップＣ５：ＮＯ）には、処理を終了する（ステップＣ６）。一方、「音声→文字」変換する場合（ステップＣ５：ＹＥＳ）には、音声変換装置６０により「音声→文字」変換して文字情報を出力する（ステップＣ７）。
【００３５】
ここで、ステップＣ４において、この音声変換装置６０から出力される文字情報又は上述した音声情報に基づいて、相手の携帯電話機１００に文字情報又は音声情報を、リモートモードで通信処理部７０および電波網を介して送信する。また、隣接する相手には、ローカルモードで、表示出力部８０に文字情報を又は音声出力部９０に音声情報を選択的に出力する。
【００３６】
次に、本発明による携帯電話機１００の受信モードにおける動作を説明する。図７は、送信者が手話等の映像情報を入力する場合の受信動作を示すフローチャートである。通信処理部７０が、送信者の携帯電話機１００から通信処理部７０および電波網を介して映像情報を受信する（ステップＤ１）。この映像情報は、後述するステップＤ２の処理を行うと共に、手話認識装置４０により「手話→文字」変換するか否か決定する（ステップＤ３）。この「手話→文字」変換を選択しない場合（ステップＤ３：ＮＯ）には、処理を終了する（ステップＤ４）。一方、「手話→文字」変換を選択又は希望する場合（ステップＤ３：ＹＥＳ）には、映像情報を手話認識装置４０により「手話→文字」変換して文字情報を得る（ステップＤ５）。この手話認識装置４０からの文字情報は、後述するステップＤ２で処理されると共に、文字変換装置５０により「文字→音声」変換を選択するか否か決定する（ステップＤ６）。「文字→音声」変換を選択しない場合（ステップＤ６：ＮＯ）には、処理を終了する（ステップＤ８）。一方、「文字→音声」変換を選択した場合（ステップＤ６：ＹＥＳ）には、文字変換装置５０により「文字→音声」変換して音声情報を出力し（ステップＤ７）、ステップＤ２へ進む。
【００３７】
ここで、ステップＤ２では、映像情報および文字情報は表示出力部８０に表示する。一方、音声情報は、スピーカ等の音声出力部９０により音声で出力する。このように、受信者は、所持する携帯電話機１００を、自己の障害に応じて適宜操作して、映像情報、文字情報又は音声情報を選択的に出力する。即ち、例えば送信者が聴覚障害者で、映像情報が送信されてきた場合には、受信者が視覚障害者の場合には、手話を「映像→文字→音声」変換して得た音声情報を音声出力部９０から出力する。一方、受信者が健常者又は視覚は正常である聴覚障害者の場合には、映像情報をそのまま又は「映像→文字」変換して得た文字情報を表示出力部に表示してコミュニケーションを行うことが可能である。
【００３８】
次に、文字情報が入力される場合における携帯電話機１００の受信モードの動作を、図８のフローチャートを参照して説明する。携帯電話機１００の通信処理部７０には送信者の携帯電話機から電波網を介して文字情報が入力される（ステップＥ１）。この文字情報は、後述するステップＥ２の処理を行うと共に、文字変換装置５０により「文字→音声」変換を選択するか否か決定する（ステップＥ３）。「文字→音声」変換を選択しない場合（ステップＥ３：ＮＯ）には、処理を終了する（ステップＥ４）。一方、「文字→音声」変換を選択する場合（ステップＥ３：ＹＥＳ）には、文字変換装置５０にて「文字→音声」変換を行い、音声情報を出力する（ステップＥ５）。
【００３９】
ここで、ステップＥ２において、文字情報は、表示出力部８０に文字情報を表示出力する。一方、音声情報は、音声出力部９０により音声出力する。即ち、送信者が例えば聴覚障害者であって、文字入力したとき、受信者が健常者又は視覚が正常な聴覚障害者の場合には、文字情報を表示出力部８０に表示し、受信者が聴覚が正常な視覚障害者の場合には、「文字→音声」変換した音声情報を音声出力部９０から出力して円滑なコミュニケーションを可能にする。
【００４０】
次に、音声情報が入力される場合の、携帯電話機１００の受信モードの動作を、図９のフローチャートを参照して説明する。送信者の携帯電話機１００から、電波網を介して通信制御部７０に音声情報を受信する（ステップＦ１）。この音声情報は、後述するステップＦ２で処理されると共に、音声変換装置６０による「音声→文字」変換を行うか否か選択する（ステップＦ３）。「音声→文字」変換を選択しない場合（ステップＦ３：ＮＯ）には、処理を終了する（ステップＦ４）。一方、「音声→文字」変換を選択する場合（ステップＦ３：ＹＥＳ）には、音声変換装置６０により「音声→文字」変換を行い、文字情報を出力する（ステップＦ５）。
【００４１】
ここで、ステップＦ２の処理を説明する。音声情報は、スピーカ等の音声出力部９０から音声で出力される。一方、音声変換装置６０により変換された文字情報は、ＬＣＤ等の表示出力部８０にも字で表示される。従って、受信者は、自己の保持する携帯電話機１００の操作ボタン（図示せず）等を操作して、例えば健常者や視覚および／又は聴覚障害者から送信される音声情報を、音声情報のまま又は文字情報に変換して出力することが可能である。即ち、健常者又は視覚障害者の場合には、音声情報のまま出力し、聴覚障害者の場合には、文字情報に変換して出力することにより、円滑なコミュニケーションが可能になる。
【００４２】
以上、本発明による携帯電話機およびそれを使用するコミュニケーション方法の好適実施形態の構成および動作を詳述した。しかし、斯かる実施形態は本発明の単なる例示に過ぎず、何ら本発明を限定するものではない。本発明の要旨を逸脱することなく、特定用途に応じて種々の変形変更が可能であること、当業者には容易に理解できよう。ここで、映像入力は、携帯電話機に付加されたＣＣＤカメラ等が使用可能である。また、文字入力は、キー等のみならずペン入力装置等を使用することも可能であり、これにより聴覚障害者との筆談を行うことも可能である。更に、携帯電話機の適当な位置に突起マトリクスを設け、点字に変換して、視覚および聴覚障害者とのコミュニケーションを行うことも可能である。
【００４３】
【発明の効果】
以上の説明から明らかな如く、本発明によると、次の如き実用上の顕著な効果が得られる。即ち、健常者同士は勿論のこと、健常者と視覚／聴覚障害者間および視覚／聴覚障害者間で、音声入力と共に手話等の映像入力又はキー操作等による文字入力により円滑なコミュニケーションが可能になる。また、この携帯電話機は、相互に離れた位置にいる送信者と受信者間でコミュニケーションを行うリモードモードでの使用形態のみならず、例えば隣り合わせた障害者間又は障害者と健常者間でコミュニケーションを行うローカルモードでの使用形態も可能である。従って、障害者のハンディキャップを軽減し、携帯電話機の用途拡大に寄与することが可能である。
【図面の簡単な説明】
【図１】本発明による携帯電話機の好適実施形態の発信モードにおける構成を示すブロック図である。
【図２】本発明による携帯電話機の受信モードにおける構成を示すブロック図である。
【図３】本発明による携帯電話機のローカルモードにおける構成を示すブロック図である。
【図４】本発明による携帯電話機の映像情報入力時の発信モードの動作を示すフローチャートである。
【図５】本発明による携帯電話機の文字情報入力時の発信モードの動作を示すフローチャートである。
【図６】本発明による携帯電話機の音声情報入力時の発信モードの動作を示すフローチャートである。
【図７】本発明による携帯電話機の映像情報入力時の受信モードの動作を示すフローチャートである。
【図８】本発明による携帯電話機の文字情報入力時の受信モードの動作を示すフローチャートである。
【図９】本発明による携帯電話機の音声情報入力時の受信モードの動作を示すフローチャートである。
【符号の説明】
１０  映像入力部
２０  文字入力部
３０  音声入力部
４０  手話認識装置（「手話→文字」変換手段）
５０  文字変換装置（「文字→音声」変換手段）
６０  音声変換装置（「音声→文字」変換手段）
４２、５２、６２  データベース
４３、５３、６３  学習部
５１、６１  変換部
７０  通信処理部
８０  表示出力部
９０  音声出力部
【図１】
2004248022.tif 000003
【図２】
2004248022.tif 000004
【図３】
2004248022.tif 000005
【図４】
2004248022.tif 000006
【図５】
2004248022.tif 000007
【図６】
2004248022.tif 000008
【図７】
2004248022.tif 000009
【図８】
2004248022.tif 000010
【図９】
2004248022.tif 000011